(57)【要約】【課題】ブレーカユニットの底面の差込片を母線バーのプラグ金具の中心に正確に差込むことができ、導通不良や発熱を引き起こすおそれのないプラグイン式分電盤を提供する。【解決手段】底面に差込片２０を有するブレーカユニット１５を、母線バー１２の両側の取付レール１３に支持した保護カバー１４に搭載したうえ、これらの差込片２０を母線バー１２に設けられたプラグ金具１７に差込んだプラグイン式分電盤である。保護カバー１４の下部に、母線バー１２またはプラグ金具１７の側面と直接接触して保護カバー１４を位置決めするガイド部２５を設け、プラグ金具１７に対する差込片２０の幅方向のずれを矯正する。【選択図】図６
2008079394.tif 000002
【特許請求の範囲】
【請求項１】
底面に差込片を有するブレーカユニットを、母線バーの両側の取付レールに支持した保護カバーに搭載したうえ、これらの差込片を母線バーに設けられたプラグ金具に差込んだプラグイン式分電盤であって、保護カバーの下部に、母線バーまたはプラグ金具と直接接触して保護カバーを位置決めするガイド部を設けたことを特徴とするプラグイン式分電盤。
【請求項２】
保護カバーのガイド部が、母線バーの側面と直接接触するものであることを特徴とする請求項１に記載のプラグイン式分電盤。
【発明の詳細な説明】
【技術分野】
【０００１】
本発明は、ブレーカユニットの底面の差込片を母線バーに設けられたプラグ金具に差込むようにしたプラグイン式分電盤に関するものである。
【背景技術】
【０００２】
ブレーカと母線バーとの電気的な接続を差込方式により行うようにしたプラグイン式分電盤には、母線バーを上下３段に配置してその側方からブレーカをプラグインする方式や、例えば特許文献１に示されるように、母線バーを横方向に３列に配置し、母線バーの上方からブレーカをプラグインする方式のものなど、多くの種類がある。また後者の方式においても、差込片を受けるプラグ金具をブレーカ側に設ける場合と、母線バー側に設ける場合とがある。本発明は最後に記したプラグ金具を母線バー側に設けたプラグイン式分電盤に関するものである。
【０００３】
このような構造のプラグイン式分電盤は、ブレーカの増設や取り外しが容易であるという利点がある。しかし、ブレーカの取付けられていない位置では母線バーが露出して危険であるため、例えば特許文献１に示すように母線バーの上面を覆う保護カバーが設けられており、ブレーカユニットもこの保護カバー上に搭載されているのが普通である。保護カバーには差込孔が形成されており、ブレーカユニットの底面の差込片を保護カバーの差込孔を通して母線バーのプラグ金具に差し込むようになっている。
【０００４】
図１０はこのような従来構造の説明図であり、ブレーカユニット１を搭載した保護カバー２は、母線バー３の両側に設けられた一対の取付レール４、４に両端を支持されている。そしてブレーカユニット１の底面の差込片５は保護カバー２を貫通して母線バー３のプラグ金具６に差込まれている。ところが、保護カバー２の母線バー３の幅方向に対する取付位置は、取付レール４の先端部４ａに保護カバー２の下部壁面２ａが当接することにより決められるので、保護カバー２の差込孔の位置がプラグ金具６に対してわずかに母線バー３の幅方向にずれる場合がある。すなわち、差込孔を設けた保護カバー２とプラグ金具６との間には、保護カバー２、母線バー３、取付レール４などの複数の部品が介在するため、これらの取付誤差や加工誤差が重なり合い、保護カバー２の差込孔が母線バー３のプラグ金具６の中央に正しく位置せず、ブレーカユニットの差込片５がわずかに母線バー３の幅方向にずれて差込まれることがあった。
【０００５】
プラグ金具６は弾性金属体よりなるものであるから、差込片５が幅方向に多少ずれても差込むことは可能である。しかしそのような状態では、差込片５に対してプラグ金具６からの力が不均等に作用するため、長期間使用すると導通不良や発熱を引き起こす可能性があった。
【特許文献１】特表平１１-５０２６９６号公報
【発明の開示】
【発明が解決しようとする課題】
【０００６】
本発明は上記した従来の問題点を解決し、母線バー、取付レール、保護カバー、支持部材などに取付誤差や加工誤差があっても、ブレーカユニットの底面の差込片を母線バーのプラグ金具に正確に差込むことができ、導通不良や発熱を引き起こすおそれのないプラグイン式分電盤を提供することを目的とするものである。
【課題を解決するための手段】
【０００７】
上記の課題を解決するためになされた本発明のプラグイン式分電盤は、底面に差込片を有するブレーカユニットを、母線バーの両側の取付レールに支持した保護カバーに搭載したうえ、これらの差込片を母線バーに設けられたプラグ金具に差込んだプラグイン式分電盤であって、保護カバーの下部に、母線バーまたはプラグ金具と直接接触して保護カバーを位置決めするガイド部を設けたことを特徴とするものである。なお、保護カバーのガイド部が、母線バーの側面と直接接触するものであることが好ましい。
【発明の効果】
【０００８】
本発明のプラグイン式分電盤では、母線バーまたはプラグ金具と直接接触して保護カバーを位置決めするガイド部を保護カバーに設けたので、母線バー、取付レール、保護カバー、支持部材などに取付誤差や加工誤差などがあっても、保護カバーと差込孔が母線バーのプラグ金具の中央に正しく位置するので、ブレーカユニットの底面の差込片を母線バーのプラグ金具に常に正確に差込むことができる。このため、導通不良や発熱を引き起こすおそれがない。
【発明を実施するための最良の形態】
【０００９】
以下に本発明の好ましい実施形態を示す。
図１は本発明のプラグイン式分電盤の図であり、１１は主幹ブレーカ、１２は主幹ブレーカ１１から下方に延びる３本の母線バーである。母線バー１２の両側には図２、図３に示されるような断面がコ字状の取付レール１３、１３が設けられている。これらの取付レール１３、１３間に保護カバー１４が取付けられ、ブレーカユニット１５が保護カバー１４上に搭載されている。図１では母線バー１２を示すために一部の保護カバー１４が省略されているが、実際には図２に示すように母線バー１２の表面全体を保護カバー１４が覆い、感電事故を防止している。
【００１０】
図３以下に示すように、３本の母線バー１２は取付レール１３、１３間に設けられた支持部材１６上に固定されている。各母線バー１２は幅広面が支持部材１６の表面と平行になるように所定間隔で配置されており、各母線バー１２の幅広面上の同一位置にプラグ金具１７が設けられている。この実施形態ではプラグ金具１７は弾性金属板を左右対称に屈曲させて開口１８を保護カバー１４側に向けたもので、リングスプリング１９が取付けられている。
【００１１】
ブレーカユニット１５は、図６に示すように底面に３本分の差込片２０を有するものである。この実施形態ではブレーカユニット１５はアダプタ２１とブレーカ２２とからなり、差込片２０はアダプタ２１の底面から母線バー１２の方向に突設されている。ブレーカ２２の電源側端子と各差込片２０とは図示しないリードバーによって接続されている。しかし、ブレーカ２２自体の底面に差込片２０が突設されていてもよく、その場合にはアダプタ２１は不要である。本明細書において「ブレーカユニット」の語は、それら両方を含むものとする。
【００１２】
ブレーカユニット１５は保護カバー１４の上面に形成された凹部２３内に嵌め込まれた状態で、保護カバー１４に搭載されている。前記したように、保護カバー１４は取付レール１３、１３間に取付けられ、ネジ止めされたものである。保護カバー１４にはブレーカユニット１５の差込片２０が差し込まれる３つの差込孔２４が形成されており、図６に示すように差込片２０は差込孔２４を貫通して各母線バー１２の各プラグ金具１７に差し込まれるようになっている。
【００１３】
このとき差込孔２４がプラグ金具１７の中心からずれると前述したような問題が発生するため、本発明では保護カバー１４の一部に、母線バー１２またはプラグ金具１７と直接接触して保護カバー１４を位置決めするためのガイド部２５が形成されている。この実施形態では、ガイド部２５は保護カバー１４の下部壁面２６を母線バー１２の方向に垂下させ、その下端部を母線バー１２の側面と直接接触する形状に切り欠くことによって形成されている。しかしガイド部２５は母線バー１２に形成された穴２７に挿入される突起としてもよく、あるいはプラグ金具１７の母線バー１２への取付部の側面に接触する構造としてもよい。
【００１４】
本発明では、保護カバー１４のガイド部２５を母線バー１２またはプラグ金具１７と直接接触させて保護カバー１４を位置決めするようにしたため、保護カバー１４と取付レール１３との間に適度の間隙を設け、保護カバー１４が母線バー１２の幅方向に動けるようにしておくものとする。
【００１５】
このように構成された本発明のプラグイン式分電盤は、底面に差込片２０を有するブレーカユニット１５を母線バー１２の両側の取付レール１３、１３に支持した保護カバー１４に搭載したうえ、差込片２０を保護カバー１４の差込孔２４を通して母線バー１２のプラグ金具１７に差込むようにしたものである。このように、母線バー１２のプラグ金具１７と差込片２４を設けた保護カバー２との間には複数の部品が介在するため、従来は製作誤差や取付誤差の影響で差込孔２４がプラグ金具１７の中心に正しく位置しないことがあったが、本発明では保護カバー１４が母線バー１２によって直接位置決めされる。
【００１６】
このため、母線バー１２と取付レール１３の取付誤差や加工誤差などに影響されることなく、ブレーカユニット１５の底面の差込片２０を母線バー１２のプラグ金具１７の中心に常に正確に差込むことができる。このため、差込片５に対してプラグ金具６からの力は均等に作用することとなり、長期間使用しても導通不良や発熱を引き起こすことがない。
【図面の簡単な説明】
【００１７】
【図１】実施形態のプラグイン式分電盤の全体図である。
【図２】内部構造を示す斜視図である。
【図３】図２の要部拡大図である。
【図４】保護カバーの取付状態を示す斜視図である。
【図５】図４の要部拡大図である。
【図６】ブレーカユニットの取付状態を示す断面図である。
【図７】保護カバーと母線バーとの関係を示す断面図である。
【図８】保護カバーの位置決め状態を示す斜視図である。
【図９】図８の要部拡大図である。
【図１０】従来技術を示す断面図である。
【符号の説明】
【００１８】
１  従来技術におけるブレーカユニット
２  保護カバー
３  母線バー
４  取付レール
５  差込片
６  プラグ金具
７  支持部材
１１  本発明における主幹ブレーカ
１２  母線バー
１３  取付レール
１４  保護カバー
１５  ブレーカユニット
１６  支持部材
１７  プラグ金具
１８  開口
１９  リングスプリング
２０  差込片
２１  アダプタ
２２  ブレーカ
２３  凹部
２４  差込孔
２５  ガイド部
２６  下部壁面
２７  穴
【図１】
2008079394.tif 000003
【図２】
2008079394.tif 000004
【図３】
2008079394.tif 000005
【図４】
2008079394.tif 000006
【図５】
2008079394.tif 000007
【図６】
2008079394.tif 000008
【図７】
2008079394.tif 000009
【図８】
2008079394.tif 000010
【図９】
2008079394.tif 000011
【図１０】
2008079394.tif 000012